(57)【特許請求の範囲】
【請求項１】
上部が開口する筐体本体と、該筐体本体の上部に、筐体本体の正面側から背面側へスライド可能に取り付いて開口を覆うカバーとからなる筐体のロック構造であって、
前記カバーのスライド方向先端側に形成された固定係止爪と、カバーのスライド方向後端側に形成された押圧係止爪と浮き止め係止爪と、
前記筐体本体に形成され、前記カバーのスライド操作に伴い前記固定係止爪が係止する係止部と、カバーのスライド操作に伴い前記押圧係止爪で押圧されて下方へ変形し、その復元力で該押圧係止爪に係止する可撓性を有するロック部材と、前記浮き止め係止爪が係止する係止部とからなり、
筐体本体の外側に、前記ロック部材の操作キーが設けられていることを特徴とする筐体のロック構造。
【請求項２】
前記ロック部材は、筐体本体の正面側側壁の内周に当接し、該正面側側壁の内周に装着された１本のロッドで形成されていることを特徴とする請求項１に記載の筐体のロック構造。
【請求項３】
前記押圧係止爪は、スライド方向側に傾斜面が形成され、反スライド方向側に前記ロック部材に係止する垂直面が設けられていることを特徴とする請求項１または請求項２に記載の筐体のロック構造。
【請求項４】
前記ロック部材の操作キーは、筐体本体の外観デザインと一体的に連続して形成されていることを特徴とする請求項１乃至請求項３のいずれか１項に記載の筐体のロック構造。
【請求項５】
前記筐体本体は、ミドルケースとロアケースとからなり、両ケースに前記浮き止め係止爪が係止する係止部が設けられていることを特徴とする請求項１乃至請求項４のいずれか１項に記載の筐体のロック構造。
【請求項６】
前記浮き止め係止爪は、その上面が先端側へ順次下降する傾斜面とされていることを特徴とする請求項１乃至請求項５のいずれか１項に記載の筐体のロック構造。
【請求項７】
前記固定係止爪と、該固定係止爪が係止する係止部は複数設けられていることを特徴とする請求項１乃至請求項６のいずれか１項に記載の筐体のロック構造。
【発明の詳細な説明】
【技術分野】
【０００１】
本発明は筐体のロック構造に係り、詳しくは保守，点検等の際に、特定の作業者のみが容易に開閉が可能な通信機器端末装置に於ける筐体のロック構造に関する。
【背景技術】
【０００２】
近年、通信の分野に於て、インターネットの高速化・大容量通信化時代を迎え、ネットワークの高速化と通信料金の低価格化が進み、中でも、既存のアナログ電話回線を用いて高速データ通信を行うＡＤＳＬ （Asymetric Digital Subscriber Line）通信が普及している。
【０００３】
このＡＤＳＬを利用したインターネット通信システムに於ては、特許文献１に示されているように、従来の電話用銅線ケーブル（電話線）だけでは伝送速度が制限されるため、電話線に加えて光ケーブルを敷設、接続して使用する場合が急速に増加しており、加入者端末を有するユーザー宅内には通信機器端末装置が設置され、この端末装置からランケーブルを介してパーソナルコンピュータ等の加入者端末に接続されている。
【０００４】
そして、従来、この種の通信機器端末装置は、ある特定の作業者のみが保守，点検等の際に筐体のカバーを開閉可能とし、エンドユーザーに装置の内部を触れさせない工夫がなされており、例えば特殊なネジでカバーを固定し、カバーの脱着には特殊の工具を必要とする等の対策が施されていた。
【特許文献１】特開２００４−８８７２７号公報
【発明の開示】
【発明が解決しようとする課題】
【０００５】
しかし乍ら、上述の如く特殊なネジでカバーを固定した従来例にあっては、カバーの脱着に特殊の工具を必要とするため、作業効率が悪く、ネジを外した際にネジを紛失する虞があった。
【０００６】
更に、筐体やカバーがプラスチックで形成されているのに対し、金属製のネジは異種材料となるため、分解の必要性や環境を配慮した処理が必要となっている。
【０００７】
また、完全なロックには、ロックを解除するための特殊な部品や工具が必要となる上、部品点数が多く、組立てや固定に時間と工数が増加してしまう欠点があった。
【０００８】
本発明は斯かる実情に鑑み案出されたもので、カバーの開閉にネジやロック解除させるための特殊な工具を必要とせず、ある特定の作業者に限り、簡単且つ確実にカバーを開閉できる通信機器端末装置に於ける筐体のロック構造を提供することを目的とする。
【課題を解決するための手段】
【０００９】
斯かる目的を達成するため、請求項１に係る発明は、上部が開口する筐体本体と、該筐体本体の上部に、筐体本体の正面側から背面側へスライド可能に取り付いて開口を覆うカバーとからなる筐体のロック構造であって、前記カバーのスライド方向先端側に形成された固定係止爪と、カバーのスライド方向後端側に形成された押圧係止爪と浮き止め係止爪と、前記筐体本体に形成され、前記カバーのスライド操作に伴い前記固定係止爪が係止する係止部と、カバーのスライド操作に伴い前記押圧係止爪で押圧されて下方へ変形し、その復元力で該押圧係止爪に係止する可撓性を有するロック部材と、前記浮き止め係止爪が係止する係止部とからなり、筐体本体の外側に、前記ロック部材の操作キーが設けられていることを特徴とする。
【００１０】
そして、請求項２に係る発明は、請求項１に記載の筐体のロック構造に於て、前記ロック部材は、筐体本体の正面側側壁の内周に当接し、該正面側側壁の内周に装着された１本のロッドで形成されていることを特徴とし、請求項３に係る発明は、請求項１または請求項２に記載の筐体のロック構造に於て、前記押圧係止爪は、スライド方向側に傾斜面が形成され、反スライド方向側に前記ロック部材に係止する垂直面が設けられていることを特徴とする。
【００１１】
また、請求項４に係る発明は、請求項１乃至請求項３のいずれか１項に記載の筐体のロック構造に於て、前記ロック部材の操作キーは、筐体本体の外観デザインと一体的に連続して形成されていることを特徴とし、請求項５に係る発明は、請求項１乃至請求項４のいずれか１項に記載の筐体のロック構造に於て、前記筐体本体は、ミドルケースとロアケースとからなり、両ケースに前記浮き止め係止爪が係止する係止部が設けられていることを特徴とする。
徴とする。
【００１２】
更に、請求項６に係る発明は、請求項１乃至請求項５のいずれか１項に記載の筐体のロック構造に於て、前記浮き止め係止爪は、その上面が先端側へ順次下降する傾斜面とされていることを特徴とし、請求項７に係る発明は、請求項１乃至請求項６のいずれか１項に記載の筐体のロック構造に於て、前記固定係止爪と、該固定係止爪が係止する係止部は複数設けられていることを特徴とする。
【発明の効果】
【００１３】
請求項１に係る発明によれば、ある特定の作業者のみが保守，点検等の際にカバーの取付け，取り外しを行うに当たり、従来の如きの特殊なネジや工具を一切使用せず、容易且つ確実にカバーの開閉作業が行え、その反面、エンドユーザーにはカバーを開け難いといった優れた利点を有する。
【００１４】
また、異種材料部品を使用した構造でなく、ロック部材を始め全ての部品をカバーや筐体本体と同一材料とすることができるため、従来に比し分解や最良による容易さ、構造の単純化や部品点数の削減によって低コスト化も可能となり、筐体のデザインを崩すことがなく所期の目的を達成することが可能である。
【００１５】
そして、請求項２に係る発明は、ロック部材を、筐体本体の正面側側壁の内周に当接し、該正面側側壁の内周に装着された１本のロッドで形成したため、撓みや復元の際に不要な方向への変形が防止され、ロック部材はロックを受ける方向に対しての変形強度が強くなる。
【００１６】
また、請求項３に係る発明は、押圧係止爪のスライド方向側に傾斜面を形成し、反スライド方向側に前記ロック部材に係止する垂直面を設けたため、ロック部材が押圧係止爪によってスムーズに撓み、復元力でロック部材が押圧係止爪の垂直面に確実に係止する利点を有する。
【００１７】
更に、請求項４に係る発明は、ロック部材の操作キーを筐体本体の外観デザインと一体的に連続して形成したため、操作キーがカバーを外すための部品であることが視認し難く、エンドユーザーは更にカバーを開け難くなる。
【００１８】
更にまた、請求項５に係る発明によれば、カバーを外して浮き止め係止爪を係止部から外さなければ、ミドルケースとロアケースが分解できず、エンドユーザーは内部に触れることができない。
【００１９】
そして、請求項６に係る発明によれば、カバーのスライド操作に伴い、浮き止め係止爪の上面が係止部に当接し乍らカバーを下方へ付勢してカバーを筐体本体に密着させることができ、請求項７に係る発明によれば、エンドユーザーが更にカバーを開け難くなるといった利点を有する。
【発明を実施するための最良の形態】
【００２０】
以下、本発明の実施形態を図面に基づいて詳細に説明する。
【００２１】
図１に於て、１は請求項１乃至請求項６の一実施形態に係るロック構造を適用した通信機器端末装置の筐体を示し、既述したように該端末装置は、ＡＤＳＬを利用したインターネット通信システムのユーザー宅内に設置されるものである。
【００２２】
而して、筐体１は、上部が開口する筐体本体３と、該筐体本体の上部に、筐体本体の正面側から背面側へスライド可能に取り付いて開口を覆う平面視凸状のカバー５とからなり、該カバー５が筐体本体３に面一に取り付いて筐体１がボックス状に形成され、外部から引き込まれた光ファイバーケーブル（図示せず）が、筐体１内で余長処理されるようになっている。
【００２３】
図２に示すように筐体本体３は、筐体本体３の外表面を構成するミドルケース７と、該ミドルケース７が冠着したロアケース９とで構成されており、ミドルケース７の正面側底部１１に設けた挿通孔１３をロアケース９の正面側側壁１５が挿通している。そして、図３(ａ)に示すように後述するロック部材１７の取付位置に於て、ミドルケース７の正面側側壁１９に設けた段部２１の下部にロアケース９の正面側側壁１５の上部が係合し、更に、図４(ａ)に示すように前記ロック部材１７の取付位置の左右で、前記段部２１の下部にロアケース９の正面側側壁１５に設けた係合片２３が係合した構造となっている。
【００２４】
そして、図１，図２及び図５に示すように前記カバー５のスライド方向先端側の裏面に、断面Ｌ字状の固定係止爪２５がカバー５のスライド方向へ突設されると共に、該固定係止爪２５に対応してミドルケース７の裏面側に、カバー５の取付時のスライド操作に伴い該固定係止爪２５が係止する係止突起（係止部）２７が下方へ突設されており、これらの係止状態は、固定係止爪２５の基部側のカバー５表面を下方へ押圧して解除できるようになっている。
【００２５】
尚、筐体１の外部からエンドユーザーが固定係止爪２５を視認できないように、カバー５とミドルケース７間の隙間は極力狭められている。
【００２６】
そして、図１，図３(ａ)及び図５に示すようにカバー５の正面側側壁２９とカバー表面３１の角部内周の略中央に、一対の押圧係止爪３３が所定間隔を空けて設けられている。
【００２７】
図５に示すように押圧係止爪３３は、夫々、先端下部に爪部３５が突設された２枚一組の側面視矩形状のプレート３７と、両プレート３７間を連結する補強プレート３９とで断面コ字状に形成されており、図３に示すように前記爪部３５はスライド方向側に傾斜面４１が形成され、反スライド方向側に、後述するロック部材１７に係止する垂直面４３が形成されている。
【００２８】
一方、図３(ａ)及び図５に示すように前記押圧係止爪３３に対応してミドルケース７の正面側側壁１９に、カバー５の取付時に各押圧係止爪３３が挿通可能な２つの切欠き４５が設けられている。そして、ミドルケース７の正面側側壁１９の内周に、可撓性を有する１本のロッドからなるロック部材１７が装着されている。
【００２９】
即ち、図５に示すように前記切欠き４５を挟んで正面側側壁１９の内周に、上部が開口した側面視略Ｕ字状の受け部４７が内方へ突設されている。そして、両受け部４７間に前記ロック部材１７が架け渡されており、図５の如く受け部４７に支持されるロック部材１７の両端側１７ａは中央部分１７ｂに比し細身に形成され、図３(a)，(b)に示すように中央部分１７ｂはミドルケース７の正面側側壁１９の内周に当接してその一部が前記切欠き４５から外部に露出している。
【００３０】
また、中央部分１７ｂは断面矩形状に形成されているが、図３(ａ)，図５及び図６に示すように前記切欠き４５から外部に露出する部位は、前記押圧係止爪３３の爪部３５が当接するため、その上部角部４９はアール状に形成されている。
【００３１】
更に、ロック部材１７の中央に該ロック部材１７を操作する正面視矩形状の操作キー５１が前方（正面側）へ延設されている。そして、該操作キー５１に対応してミドルケース７の正面側側壁１９に切欠き５３が上下方向に形成され、更に、該切欠き５３に沿って正面側側壁１９の外周に操作キー５１を収容する正面視矩形状の凹部５５が設けられており、操作キー５１は前記切欠き５３を挿通して該凹部５５内に収容されている。そして、操作キー５１を下方へ操作すると、図６の二点鎖線で示すように、ロック部材１７がミドルケース７の正面側側壁１９の内周に当接し乍ら撓むようになっている。
【００３２】
尚、操作キー５１を筐体本体３の外観デザインに合わせてこれと一体的に連続して形成することで、エンドユーザーに対し、該操作キー５１がカバー５を外すための部品であることを視認し難くしている。
【００３３】
ロック部材１７とカバー５側の押圧係止爪３３はこのように構成されており、カバー５を筐体本体３に取り付けるためにこれを筐体本体３の正面側からスライド操作して、図３(ａ)の如く押圧係止爪３３を前記切欠き４５に挿通させると、押圧係止爪３３の爪部３５の傾斜面４１がロック部材１７の上部角部４９に当接し乍ら、押圧係止爪３３がロック部材１７を下方（図中、矢印方向）へ押し下げてロック部材１７が撓み、そして、カバー５のスライド操作に伴い、押圧係止爪３３がロック部材１７を通過すると、ロック部材１７はその復元力で図３(ｂ)の如く元の形状（位置）に戻って、押圧係止爪３３の爪部３５の垂直面４３と係止するようになっている。そして、これと同時に、カバー５のスライド方向先端に設けた固定係止爪２５がミドルケース７側の係止突起２７に係止して、カバー５が前後でロックされる構造となっている。
【００３４】
また、カバー５を筐体本体３から取り外すには、既述したように固定係止爪２５の基部側のカバー５表面を下方へ押圧して固定係止爪２５と係止突起２７との係止状態を解除すると同時に、前記操作キー５１を下方へ操作してロック部材１７を図６の二点鎖線で示すように下方へ撓ませて、ロック部材１７と固定係止爪３３（爪部３５）との係止状態を解除しなければならない構造となっている。
【００３５】
更に、図１，図４(ａ)及び図５に示すようにカバー５の正面側側壁２９の内周には、前記押圧係止爪３３の側方に浮き止め係止爪５７が内方へ突設されると共に、これに対応してミドルケース７とロアケース９の正面側側壁１９，１５に、夫々、前記浮き止め係止爪５７が係止する係止孔（係止部）５９，６１が設けられている。そして、カバー５の取付時に、図４(ｂ)の如く係止孔５９，６１に浮き止め係止爪５７が係止してカバー５の浮き上がりを防止すると同時に、浮き止め係止爪５７を係止孔５９，６１から外さなければ、ミドルケース７とロアケース９が分解できない構造となっている。尚、係止孔５９は係止孔６１よりも小さく設定されて、カバー９の上方へのガタ付きを防止している。
【００３６】
更にまた、図５に示すようにカバー５の正面側側壁２９の内周の左右端側に第２の浮き止め係止爪６３が内方へ突設されると共に、該浮き止め係止爪６３に対応してミドルケース７の正面側側壁１９に、該浮き止め係止爪６３が係止する係止孔（係止部）６５が設けられており、浮き止め係止爪６３は、その上面６７が先端側へ順次下降する傾斜面とされている。そして、カバー５の取付時のスライド操作に伴い、浮き止め係止爪６３を係止孔６５内に挿入，係止させると、その上面６７が係止孔６５の周縁上部に当接し乍ら、カバー５を下方へ付勢して、カバー５を筐体本体３に密着させるようになっている。
【００３７】
本実施形態に係るロック構造を用いた筐体１はこのように構成されているから、外部から引き込んだ光ファイバーケーブルを筐体本体３内で余長処理した後、筐体本体３にカバー５を取り付ける場合、カバー５を筐体本体３の正面側から筐体本体１に沿ってスライド操作して、図３(ａ)の如く押圧係止爪３３を切欠き４５に挿通させると、押圧係止爪３３の爪部３５の傾斜面４１がロック部材１７の上部角部４９に当接し乍ら、押圧係止爪３３がロック部材１７を下方へ押し下げてロック部材１７が撓み、カバー５のスライド操作に伴い押圧係止爪３３がロック部材１７を通過すると同時に、ロック部材１７はその復元力で図３(ｂ)の如く元の形状（位置）に戻って、押圧係止爪３３の爪部３５の垂直面４３と係止する。
【００３８】
そして、既述したようにロック部材１７の中央部分１７ｂはミドルケース７の正面側側壁１９の内周に当接しているため、ロック部材１７の撓みや復元の際に不要な方向への変形が防止され、ロック部材１７はロックを受ける方向に対しての変形強度が強くなる。
【００３９】
また、押圧係止爪３３の爪部３５に傾斜面４１と垂直面４３が形成されているため、ロック部材１７が押圧係止爪３３によってスムーズに撓み、復元力でロック部材１７が爪部３５の垂直面４３に確実に係止する。
【００４０】
そして、上述の如きロック部材１７と押圧係止爪３３のロックと同時に、カバー５のスライド方向先端に設けた固定係止爪２５がミドルケース７側の係止突起２７に係止し、更に、カバー５の正面側側壁２９に設けた浮き止め係止爪５７が図４(ｂ)の如くミドルケース７とロアケース９側の係止孔５９，６１に係止すると共に、カバー５の正面側側壁２９に設けた第２の浮き止め係止爪６３がミドルケース７側の係止孔に係止する。そして、浮き止め係止爪６３が係止孔６５内に挿入，係止すると、その上面６７が係止孔６５の周縁上部に当接し乍ら、カバー５を下方へ付勢してカバー５を筐体本体３に密着させることとなる。
【００４１】
一方、カバー５を筐体本体３から取り外す場合、固定係止爪２５の基部側のカバー５表面を下方へ押圧して固定係止爪２５と係止突起２７との係止状態を解除すると同時に、前記操作キー５１を下方へ操作して、ロック部材１７を図６の二点鎖線の如く下方へ撓ませてロック部材１７と押圧係止爪３３との係止状態を解除しなければ、即ち、カバー５の前後２箇所のロックを同時に解除しなければ、カバー５を後方へスライド操作して取り外すことができず、既述したようにカバー５が筐体本体３に固定されると、浮き止め係止爪６３の作用でカバー５が筐体本体３に密着し、筐体１の外部からエンドユーザーが固定係止爪２５を視認できないようにカバー５とミドルケース７間の隙間が極力狭められ、更に、操作キー５１が筐体本体３の外観デザインに合わせて一体的に連続して形成されているため、エンドユーザーにはカバー５が外し難い構造となる。
【００４２】
このように、本実施形態に係る筐体のロック構造によれば、ある特定の作業者のみが保守，点検等の際にカバー５の取付け，取り外しを行うに当たり、従来の如きの特殊なネジや工具を一切使用せず、容易且つ確実にカバー５の開閉作業が行え、その反面、エンドユーザーにはカバー５を開け難いといった優れた利点を有する。
【００４３】
そして、カバー５を外して浮き止め係止爪５７を係止孔５９，６１から外さなければ、ミドルケース７とロアケース９が分解できず、エンドユーザーは内部に触れることができない。
【００４４】
而も、本実施形態は、異種材料部品を使用した構造でなく、ロック部材１７を始め全ての部品をカバー５や筐体本体３と同一材料とすることができるため、従来に比し分解や最良による容易さ、構造の単純化や部品点数の削減によって低コスト化も可能となる。
【００４５】
加えて、本実施形態によれば、筐体１のデザインを崩すこともなく、所期の目的を達成することが可能である。
【００４６】
尚、前記実施形態では、一個の固定係止爪２５と係止突起２７をカバー５と筐体本体３に設けたが、請求項７の実施形態の如く固定係止爪２５と係止突起２７を複数設けることで、エンドユーザーが更にカバーを開け難くなるといった利点を有する。
【図面の簡単な説明】
【００４７】
【図１】請求項１乃至請求項６の一実施形態に係るロック構造を適用した通信機器端末装置の筐体の全体斜視図である。
【図２】筐体の断面図である。
【図３】カバーと筐体本体のロック構造の要部拡大断面図である。
【図４】カバーと筐体本体のロック構造の要部拡大断面図である。
【図５】筐体の分解斜視図である。
【図６】ロック部材の構造説明図である。
【符号の説明】
【００４８】
１  筐体
３  筐体本体
５  カバー
７  ミドルケース
９  ロアケース
１５  ロアケースの正面側側壁
１７  ロック部材
１９  ミドルケースの正面側側壁
２５  固定係止爪
２７  係止突起（係止部）
２９  カバーの正面側側壁
３１  カバー表面
３３  押圧係止爪
３５  爪部
４１  傾斜面
４３  垂直面
４５，５３  切欠き
４７  受け部
４９  上部角部
５１  操作キー
５５  凹部
５７  浮き止め係止爪
５９，６１，６５  係止孔（係止部）
６３  第２の浮き止め係止爪
６７  上面
【図１】
0004729032.tif 000002
【図２】
0004729032.tif 000003
【図３】
0004729032.tif 000004
【図４】
0004729032.tif 000005
【図５】
0004729032.tif 000006
【図６】
0004729032.tif 000007